(57)【要約】【課題】従来の排水溝ブロックでは、河川堤防のような堤を越える越流水の勢いを抑制できないという課題があった。【解決手段】本発明による水勢抑制装置は、堤を越える越流水の下流側の底より立設されて越流水を受ける壁体７と、壁体の上部に設けられた水勢抑制部９とを備え、水勢抑制部９が、壁体７の上端縁に添って延長するとともに壁体７の堤に近い面７ｂより堤側に突出する形状に形成され、水勢抑制部９の断面形状が三角形であり、三角形の一辺を形成する水勢抑制部９の面３０が壁体７の面７ｂから上方に傾斜する傾斜面を形成したことを特徴とする。【選択図】図１
2007120211.tif 000002
【特許請求の範囲】
【請求項１】
堤を越える越流水の下流側の底より立設されて越流水を受ける壁体と、壁体の上部に設けられた水勢抑制部とを備え、水勢抑制部が、壁体の上端縁に添って延長するとともに壁体の堤に近い面より堤側に突出する形状に形成され、水勢抑制部の断面形状が三角形であり、三角形の一辺を形成する水勢抑制部の面が壁体の面から上方に傾斜する傾斜面を形成したことを特徴とする水勢抑制装置。
【請求項２】
堤を越える越流水の下流側の底より立設されて越流水を受ける壁体と、壁体の上部に設けられた水勢抑制部とを備え、水勢抑制部が、壁体の上端縁に添って延長するとともに壁体の堤に近い面より堤側に突出する形状に形成され、水勢抑制部の断面形状が直角三角形であり、直角をなす辺以外の辺を形成する水勢抑制部の面が壁体の面から上方に傾斜する傾斜面を形成したことを特徴とする水勢抑制装置。
【請求項３】
壁体と水勢抑制部とが互いに別体で形成され、互いに別体の壁体と水勢抑制部とが互いに結合されたことによって形成されたことを特徴とする請求項１又は請求項２に記載の水勢抑制装置。
【請求項４】
壁体の一面よりも堤側に位置された他の壁体と、壁体の下端と他の壁体の下端とを互いに結合する底体とを備え、壁体と他の壁体と底体とで囲まれた断面凹形状の集水溝が形成されたことを特徴とする請求項１ないし請求項３のいずれかに記載の水勢抑制装置。
【請求項５】
請求項１ないし請求項４のいずれかに記載の水勢抑制装置の使用方法であって、河川堤防の裏法尻において、水勢抑制装置の水勢抑制部を河川堤防の方向に突出するように向け、水勢抑制装置の壁体を河川堤防の越流水の流れる方向と交差する方向に延長するように設けることによって、河川堤防越流水の減勢工を形成したことを特徴とする水勢抑制装置の使用方法。
【請求項６】
請求項１ないし請求項４のいずれかに記載の水勢抑制装置の使用方法であって、海岸線堤防に沿って設けられた道路における堤防とは反対側の道路脇において、水勢抑制装置の水勢抑制部を海岸線堤防の方向に突出するように向け、水勢抑制装置の壁体を海岸線堤防の越流水の流れる方向と交差する方向に延長するように設けることによって、海岸線堤防越流水の減勢工を形成したことを特徴とする水勢抑制装置の使用方法。
【請求項７】
請求項１ないし請求項４のいずれかに記載の水勢抑制装置の使用方法であって、ダムの減勢池の下流側において、水勢抑制装置の水勢抑制部をダムの放流部の方向に突出するように向け、水勢抑制装置の壁体をダムの越流水の流れる方向と交差する方向に延長するように設けることによって、ダム越流水の減勢工を形成したことを特徴とする水勢抑制装置の使用方法。
【請求項８】
堤を越える越流水の下流側の底より立設されて越流水を受ける壁体と壁体の上部に設けられた水勢抑制部とを備えた水勢抑制装置における水勢抑制部を形成する水勢抑制体であって、長尺な棒体により形成され、棒体の長尺な方向と直交する方向に切断された断面が直角三角形であり、直角をなす辺のうちの一辺を形成する棒体の面が壁体の上端縁に添って延長するように壁体の堤に近い面と結合されることによって、直角をなす辺以外の辺を形成する棒体の面が壁体の面から上方に傾斜する傾斜面を形成することを特徴とする水勢抑制体。
【発明の詳細な説明】
【技術分野】
【０００１】
本発明は、越流水の勢いを抑えることの可能な水勢抑制装置などに関する。
【背景技術】
【０００２】
堤防の堤体内にドレーンを設けるとともに堤防の裏法尻にＵ字形断面の排水溝ブロックを設置することによって、河川洪水時の河川水や雨水を排水溝ブロック内に導いて排水する構造が知られている。
【特許文献１】特開２００５−３６６３０号公報
【発明の開示】
【発明が解決しようとする課題】
【０００３】
従来の排水溝ブロックでは、河川堤防のような堤を越える越流水の勢いを抑制できないという課題があった。
【課題を解決するための手段】
【０００４】
本発明による水勢抑制装置は、堤を越える越流水の下流側の底より立設されて越流水を受ける壁体と、壁体の上部に設けられた水勢抑制部とを備え、水勢抑制部が、壁体の上端縁に添って延長するとともに壁体の堤に近い面より堤側に突出する形状に形成され、水勢抑制部の断面形状が三角形であり、三角形の一辺を形成する水勢抑制部の面が壁体の面から上方に傾斜する傾斜面を形成したことを特徴とする。
また、堤を越える越流水の下流側の底より立設されて越流水を受ける壁体と、壁体の上部に設けられた水勢抑制部とを備え、水勢抑制部が、壁体の上端縁に添って延長するとともに壁体の堤に近い面より堤側に突出する形状に形成され、水勢抑制部の断面形状が直角三角形であり、直角をなす辺以外の辺を形成する水勢抑制部の面が壁体の面から上方に傾斜する傾斜面を形成したことも特徴とする。
壁体と水勢抑制部とが互いに別体で形成され、互いに別体の壁体と水勢抑制部とが互いに結合されたことによって形成されたことも特徴とする。
壁体の一面よりも堤側に位置された他の壁体と、壁体の下端と他の壁体の下端とを互いに結合する底体とを備え、壁体と他の壁体と底体とで囲まれた断面凹形状の集水溝が形成されたことも特徴とする。
本発明の水勢抑制装置の使用方法は、河川堤防の裏法尻において、水勢抑制装置の水勢抑制部を河川堤防の方向に突出するように向け、水勢抑制装置の壁体を河川堤防の越流水の流れる方向と交差する方向に延長するように設けることによって、河川堤防越流水の減勢工を形成したことを特徴とする。
また、海岸線堤防に沿って設けられた道路における堤防とは反対側の道路脇において、水勢抑制装置の水勢抑制部を海岸線堤防の方向に突出するように向け、水勢抑制装置の壁体を海岸線堤防の越流水の流れる方向と交差する方向に延長するように設けることによって、海岸線堤防越流水の減勢工を形成したことも特徴とする。
また、ダムの減勢池の下流側において、水勢抑制装置の水勢抑制部をダムの放流部の方向に突出するように向け、水勢抑制装置の壁体をダムの越流水の流れる方向と交差する方向に延長するように設けることによって、ダム越流水の減勢工を形成したことも特徴とする。
本発明の水勢抑制体は、堤を越える越流水の下流側の底より立設されて越流水を受ける壁体と壁体の上部に設けられた水勢抑制部とを備えた水勢抑制装置における水勢抑制部を形成する水勢抑制体であって、長尺な棒体により形成され、棒体の長尺な方向と直交する方向に切断された断面が直角三角形であり、直角をなす辺のうちの一辺を形成する棒体の面が壁体の上端縁に添って延長するように壁体の堤に近い面と結合されることによって、直角をなす辺以外の辺を形成する棒体の面が壁体の面から上方に傾斜する傾斜面を形成することを特徴とする。
【発明の効果】
【０００５】
本発明の水勢抑制装置によれば、水勢抑制部によって越流水の勢いを弱めることができ、越流水による被害を小さくできる。
特に、水勢抑制部の断面形状を直角三角形とすることによって、越流水の勢いを弱める効果を向上させることができた。
別体に形成された壁体と水勢抑制部とを互いに結合して水勢抑制装置を得ることにより、例えばコンクリート溝管と呼ばれるような既存の集水溝ブロックの壁を壁体として利用することによって水勢抑制装置を形成できるので、壁体と水勢抑制部とが一体となった水勢抑制装置を初めから作成する場合に比べてコストを低減できる。
壁体の一面よりも堤側に位置された他の壁体と、壁体の下端と他の壁体の下端とを互いに結合する底体とを備え、壁体と他の壁体と底体とで囲まれた断面凹形状の集水溝が形成された構成としたので、例えば、河川堤防の裏法尻に河川堤防越流水の減勢工を形成する作業の容易な水勢抑制装置を提供できる。
本発明の水勢抑制装置の使用方法によれば、河川堤防越流水の減勢工や、海岸線堤防越流水の減勢工や、ダム越流水の減勢工を構築できる。
本発明の水勢抑制体によれば、水勢抑制装置の水勢抑制部以外の部分を現場施工によって形成することも可能となり、現場に即した減勢工の施工が可能となる。さらに、既存の集水溝ブロックの壁を壁体として利用することによって水勢抑制装置を形成できるので、壁体と水勢抑制部とが一体となった水勢抑制装置を初めから作成する場合に比べてコストを低減できる。
【発明を実施するための最良の形態】
【０００６】
最良の形態１
図１乃至図４は最良の形態１を示し、図１は水勢抑制装置を使用した河川堤防越流水の減勢工を示し、図２は水勢抑制装置による水勢抑制作用を説明し、図３は水勢抑制装置の断面を拡大して示し、図４は水勢抑制装置の全体形態を示す。
【０００７】
図１に示すように、減勢工は、河川Ｒの堤防（堤）２の裏法尻３に沿って地面４を掘削して形成された断面矩形凹形状の連続する掘溝５内に水勢抑制装置１が設置されることによって形成される。水勢抑制装置１は、断面凹形状で断面と直交する方向に延長する溝部１０と、水勢抑制部９とを備える。
【０００８】
溝部１０は、平板状の底部６と底部６の両側縁より底部６の平板面６ａに対して直角をなすよう同方向に延長して互いに平行に相対峙する平板状の壁体７；８とにより形成される。壁体７における底部６の平板面６ａから上端面７ａまでの高さと壁体８における底部６の平板面６ａから上端面８ａまでの高さとは同じである。この高さは任意である（例えば１ｍ程度に形成される）。壁体７と壁体８との間の長さも任意である（例えば１．５ｍ程度に形成される）。底部６の平板面６ａ及び壁体７；８の上端面７ａ；８ａが水平面となるように水勢抑制装置１が掘溝５内に設置される。壁体７の上端面７ａは堤防２の外側の地面４に連接する。壁体８の上端面８ａは裏法尻３に連接する。底部６と壁体７と壁体８とにより、長尺な方向の両端側と上方とが開放した矩形状の溝部１０を備えた集水溝ブロック１０Ａが形成される。集水溝ブロック１０Ａの長尺な方向の長さは任意である。底部６は集水溝ブロック１０Ａの集水底を形成し、この集水底が、越流水の下流側の底を形成する。従って、水勢抑制部９を備えた壁体７が、洪水の際に堤防２を越える河川からの越流水の下流側の底としての集水底より立設されて越流水を受ける構成である。即ち、壁体７は、越流水の流れる方向と交差する方向に延長するとともに裏法尻３に沿う方向に延長する。言い換えれば、壁体７は、越流水の流れを遮る方向に沿って延長する。
【０００９】
図４に示すように、水勢抑制部９は、集水溝ブロック１０Ａの長尺な方向の長さと同じ長さの長尺な棒体２２が壁体７の上端側における壁体８に近い一面７ｂに結合されることによって形成される。即ち、壁体７の上端側の一面７ｂには、集水溝ブロック１０Ａの長尺な方向の全長に渡って棒体２２が取り付けられることによって水勢抑制部９が形成される。棒体２２の長尺な方向と直交する方向に切断された断面は直角二等辺三角形である。図３に示すように、二等辺のうちの一辺を形成する棒体２２の一面２５と壁体７の上端面７ａとが段差無く連続するように位置合わされ、二等辺のうち他辺を形成する棒体２２の他面２７と壁体７の一面７ｂとが互いに結合されることによって、壁体７の上端縁に添って延長するとともに壁体７の一面７ｂより堤防２側に突出する形状の水勢抑制部９が形成される。棒体２２の一面２５と他面２７とを互いに繋ぐ面、つまり、二等辺以外の辺を形成する他面３０が、壁体７の一面７ｂに対して１３５°の角度を保って上方に傾斜する傾斜面を形成する。壁体７の一面７ｂに結合された棒体２２の一面２５により形成された水勢抑制部９の上面９Ｘと壁体７の上端面７ａとにより形成された連続平面２５Ａと壁体７の他面７ｃとが互いに直角をなす。よって、水勢抑制装置１は、上記連続平面２５Ａが水平面となるように掘溝５内に設置されて使用される。棒体２２は、壁体７の上端側の一面７ｂに結合されることによって水勢抑制部９を形成する水勢抑制体として機能する。棒体２２の断面の二等辺の長さは任意である（例えば１０ｃｍに形成される）。
【００１０】
即ち、本形態による水勢抑制装置１は、図外の別々の型枠によって互いに別々に形成された別体の集水溝ブロック１０Ａと棒体２２とが接着剤のような結合手段によって互いに結合されて形成される。よって、例えばコンクリート溝管と呼ばれるような既存の集水溝ブロック１０Ａの壁を壁体７として利用することによって水勢抑制装置１を形成できるので、集水溝ブロック１０Ａの壁体７と水勢抑制部９とが一体となった水勢抑制装置１を初めから作成するのに比べて型枠などにかかる開発コストを低減できる。水勢抑制体としての棒体２２を別体としたことにより、水勢抑制装置１の水勢抑制部９以外の部分を現場施工によって形成することも可能となり、現場に即した減勢工の施工が可能となる。また、集水溝ブロック１０Ａを河川堤防の裏法尻３に設置することによって河川堤防越流水の減勢工を容易に施工できる。
【００１１】
本形態１の水勢抑制装置１を用いた堤防越水減勢工によれば、洪水時に越流水が水勢抑制部９に衝突して図２の矢印Ａ；Ｂに示すように上下に振り分けられることによって越流水の勢いが弱まる。つまり、越流水の流速を抑えることができる。よって、河川堤防近辺の住宅街などでの洪水時の越流水による被害を小さくできる。特に、断面形状が直角二等辺三角形の棒体２２と壁体７とを結合して水勢抑制部９を形成したことによって、越流水の勢いを弱める効果を向上させることができた。
【００１２】
最良の形態２
図５を参照し、水勢抑制装置１を用いた海岸堤防越流水の減勢工を説明する。減勢工は、海岸線堤防３１に沿って設けられた道路３２の堤防とは反対側の道路脇３３に沿って地面３４を掘削して形成された断面矩形凹形状の連続する掘溝３５内に水勢抑制装置１を設置することによって形成される。この場合、水勢抑制装置１の水勢抑制部９が海岸線堤防３１の方向に突出するように向けられ、水勢抑制装置１の壁体７が海岸線堤防３１の越流水の流れる方向と交差する方向に延長するように設けられる。換言すれば、水勢抑制部９が海岸線堤防３１の方向に突出するように向けられ、壁体７が海岸線堤防３１に沿って延長するとともに道路面３６と直交する方向に延長するように設けられる。
【００１３】
形態２による水勢抑制装置１を用いた海岸堤防越流水の減勢工によれば、高波時の海岸堤防越流水が水勢抑制部９に衝突して図２の矢印Ａ；Ｂに示すように上下に振り分けられることによって越流水の勢いが弱まる。つまり、越流水の流速を抑えることができる。よって、海岸線堤防近辺の住宅街などでの高波時の越流水による被害を小さくできる。
【００１４】
最良の形態３
図６を参照し、壁体７と水勢抑制部９とにより形成された水勢抑制装置を使用したダム放流水の減勢工を説明する。壁体７と水勢抑制部９とにより形成された水勢抑制装置４０を、ダム４１の洪水吐（放流設備）の導流部４２の下端に設けられた減勢池（水叩部）４３の下流側の底面４４より立設する。すなわち、水勢抑制装置４０の水勢抑制部９がダム４１の放流口４５の方向に突出するように向けられ、水勢抑制装置４０の壁体７がダム４１の越流水の流れる方向と交差する方向に延長するように設けられる。換言すれば、水勢抑制部９がダム４１の放流口４５の方向に突出するように向けられ、壁体７が減勢池４３の下流側の底面４４と直交する方向に延長するように設けられる。
【００１５】
形態３による水勢抑制装置１を用いたダム越流水の減勢工によれば、放流時のダム越流水が水勢抑制部９に衝突して図２の矢印Ａ；Ｂに示すように上下に振り分けられることによって越流水の勢いが弱まる。つまり、越流水の流速を抑えることができる。よって、越流水の勢いによってダム下流の河床４６が洗掘されてしまう現象を緩和できる。
【産業上の利用可能性】
【００１６】
河川堤防越流水の減勢工や海岸堤防越流水の減勢工の構築に用いる集水溝ブロック１０Ａの溝部１０の断面形状は、例えば、断面Ｕ字状、断面Ｖ字状のように、断面矩形凹形状以外の形状であっても良い。
【００１７】
現場にて壁体８と底部６とを施工し、工場にて図７（ａ）に示すように水勢抑制体としての棒体２２と壁体７とを別々に製作し、この壁体７と棒体２２、あるいは、図７（ｂ）に示すように壁体７と水勢抑制部９とが一体となった水勢抑制装置１Ａを現場に搬入して、現場施工の底部６と組み合わせることによって、河川堤防越流水の減勢工や海岸堤防越流水の減勢工を構築しても良い。
【００１８】
水勢抑制装置１を構成する集水溝ブロック１０Ａや水勢抑制体としての棒体２２、壁体７などはコンクリート以外の合成樹脂や鋼などで形成しても良い。
【００１９】
図８に示すように、水勢抑制部９を形成する棒体２２の断面形状が直角二等辺三角形以外の直角三角形であり、直角をなす辺のうちの一辺を形成する棒体２２の一面４７と壁体７の一面７ｂとが互いに結合されることによって、直角をなす辺のうちの他辺を形成する棒体２２の他面４９と壁体７の上端面７ａとが段差なく互いに繋がれた平面を形成し、直角をなす辺以外の辺を形成する棒体２２の他面４８が壁体７の一面７ｂから上方に傾斜する傾斜面を形成する構成の水勢抑制装置でもよい。そして棒体２２の他面４９により形成された水勢抑制部９の上面９Ｘが水平面となるように裏法尻３などに設置して使用する。
【００２０】
図９（ａ）（ｂ）に示すように、壁体７の上端面７ａと水勢抑制部９の上面９Xとが互いに平行に位置された構成としても良い。
【００２１】
別体の集水溝ブロック１０Ａと棒体２２とが互いに結合されて形成された水勢抑制装置１や、壁体７と棒体２２とが互いに結合されて形成された水勢抑制装置１Ａ；４０を説明したが、例えば、水勢抑制装置１や水勢抑制装置１Ａ；４０の形状を形成する断面形状の間口及び筒部を備えた型枠を用い、この型枠内に生コンクリートを流し込むことによって一体に形成されたプレキャストコンクリート製の水勢抑制装置１や水勢抑制装置１Ａ；４０を用いても良い。
【００２２】
本発明の水勢抑制装置は、水勢抑制部９の上面９Ｘが水平面、あるいは、水平面に近い面となるように裏法尻３などに設置して使用すればよい。例えば、図１０に示すように、水勢抑制部９の断面形状が直角三角形以外の三角形であり、三角形の一辺を形成する水勢抑制部９の一面５０と壁体７の一面７ｂとが互いに結合され、三角形の他の一辺を形成する水勢抑制部９の他面５１が壁体７の一面７ｂから上方に傾斜する傾斜面を形成する。そして、三角形のもう一つの辺を形成する水勢抑制部９の上面９Ｘが水平面に近い面となるように裏法尻３などに設置して使用する。すなわち、水勢抑制部９の上面９Ｘと壁体７の一面７ｂとのなす角度αを９０°に設定することが好ましいが、例えば、角度αを６０°〜１００°の範囲に設定してもよい。また、他面５１と壁体７の一面７ｂとのなす角度βも１３５°に設定することが好ましいが、例えば、角度βを１２０°〜１５０°の範囲に設定してもよい。
【図面の簡単な説明】
【００２３】
【図１】水勢抑制装置を使用した河川堤防越流水の減勢工を示す断面図（最良の形態１）。
【図２】水勢抑制装置の水勢抑制作用を示す説明図（最良の形態１）。
【図３】水勢抑制装置の断面図（最良の形態１）。
【図４】水勢抑制装置の全体形態を示す斜視図（最良の形態１）。
【図５】水勢抑制装置を使用した海岸堤防越流水の減勢工を示す断面図（最良の形態２）。
【図６】水勢抑制装置を使用したダム越流水の減勢工を示す断面図（最良の形態３）。
【図７】水勢抑制装置の他の例を示す図。
【図８】水勢抑制装置の他の例を示す図。
【図９】水勢抑制装置の他の例を示す図。
【図１０】水勢抑制装置の他の例を示す図。
【符号の説明】
【００２４】
１：１Ａ；４０  水勢抑制装置、２  河川堤防（堤）、３  裏法尻、
６  底部、７  壁体、９  水勢抑制部、１０  集水溝ブロック、
２２  棒体（水勢抑制体）、３１  海岸線堤防（堤）、３２  道路、
３３  道路脇、４１  ダム、４３  減勢池、４５  放流口（放流部）。
【図１】
2007120211.tif 000003
【図２】
2007120211.tif 000004
【図３】
2007120211.tif 000005
【図４】
2007120211.tif 000006
【図５】
2007120211.tif 000007
【図６】
2007120211.tif 000008
【図７】
2007120211.tif 000009
【図８】
2007120211.tif 000010
【図９】
2007120211.tif 000011
【図１０】
2007120211.tif 000012